(57)【特許請求の範囲】
【請求項１】
受信した番組情報に付加された視聴制限情報と、予め設定された設定情報とを比較して、当該受信番組の視聴制限を行なうテレビジョン放送受信装置において、
一定の時間が経過する毎に、選局された番組情報に付加された視聴制限情報を、当該番組を特定する情報と対応させて記録する記録手段と、
前記記録手段に記録された視聴制限情報と当該番組を特定する情報とを対応させて一覧表示する表示手段と、
前記表示手段により、前記記録手段に記録された視聴制限情報と当該番組を特定する情報とが対応して一覧表示されている画面上で、所定の前記視聴制限情報を選択する選択手段と、
前記選択手段で選択された視聴制限情報に基づいて、前記設定情報を自動設定する設定手段とを具備してなることを特徴とするテレビジョン放送受信装置。
【請求項２】
受信した番組情報に付加された視聴制限情報と、予め設定された設定情報とを比較して、当該受信番組の視聴制限を行なうようにテレビジョン放送受信装置を制御するテレビジョン放送受信装置の制御方法において、
一定の時間が経過する毎に、選局された番組情報に付加された視聴制限情報を、当該番組を特定する情報と対応させて記録する記録工程と、
前記記録工程で記録された視聴制限情報と当該番組を特定する情報とを対応させて一覧表示する表示工程と、
前記表示工程により、前記記録工程で記録された視聴制限情報と当該番組を特定する情報とが対応して一覧表示されている画面上で、所定の前記視聴制限情報を選択する選択工程と、
前記選択工程で選択された視聴制限情報に基づいて、前記設定情報を自動設定する設定工程とを具備してなることを特徴とするテレビジョン放送受信装置の制御方法。
【発明の詳細な説明】
【０００１】
【発明の属する技術分野】
この発明は、テレビジョン放送受信装置とその制御方法に係り、特にその視聴制限情報であるＶ−Ｃｈｉｐのレイティングの設定を改良したものに関する。
【０００２】
【従来の技術】
周知のように、テレビジョン放送においては、放送されるテレビジョン番組情報にＶ−Ｃｈｉｐのレイティング情報が付加されている。そして、テレビジョン放送受信機では、受信したＶ−Ｃｈｉｐのレイティング情報と、予めユーザが設定したレイティングとを比較することにより、テレビジョン番組の視聴制限を行なうことができる。
【０００３】
ところで、テレビジョン放送受信機において、Ｖ−Ｃｈｉｐのレイティングを設定する際には、ユーザが以下に述べる項目やレベルを選択する必要がある。
【０００４】
すなわち、項目としては、１．ＤＩＡＬＯＧ、２．ＬＡＮＧＵＡＧＥ、３．ＳＥＸ、４．ＶＩＯＬＥＮＣＥ、５．ＮＯ  ＤＬＳＶ、６．ＹＯＵＴＨ  ＴＶ  ＲＡＴＩＮＧ、７．ＭＡＰＰ  ＲＡＴＩＮＧの７種類がある。また、レベルとしては、項目１〜５についてＭＡ，１４，ＰＧ，Ｇの４種類があり、項目６についてＹ７ＦＶ，Ｙ７，Ｙの３種類があり、項目７についてＸ，ＮＣ１７，Ｒ，ＰＧ１３，ＰＧ，Ｇの６種類がある。
【０００５】
このように、Ｖ−Ｃｈｉｐのレイティング設定では、項目とそのレベルとを選定する必要があるが、特にレベルの選定に際して、実際の番組内容とレベルとの対応関係がユーザにわかり難いため、最適なレベルを選択することが困難になるという問題が生じている。
【０００６】
なお、Ｖ−Ｃｈｉｐのレイティング設定に関する公知例としては、例えば、特開２０００−２４４８３０号公報に示されるものがある、しかしながら、これは、リモートコントローラがユーザの指紋を判別し、予め登録された指紋であった場合にレイティング設定を変更可能にするものであって、最適なレベルを選択することについては何らの記載もなされていないものである。
【０００７】
【発明が解決しようとする課題】
そこで、この発明は上記事情を考慮してなされたもので、Ｖ−Ｃｈｉｐの最適なレイティング設定を容易に行なうことができ、ユーザにとっての取り扱いを便利にして実用化を効果的に促進することを可能とした極めて良好なテレビジョン放送受信装置とその制御方法を提供することを目的とする。
【０００８】
【課題を解決するための手段】
この発明に係るテレビジョン放送受信装置は、受信した番組情報に付加された視聴制限情報と、予め設定された設定情報とを比較して、当該受信番組の視聴制限を行なうものを対象としている。そして、一定の時間が経過する毎に、選局された番組情報に付加された視聴制限情報を、当該番組を特定する情報と対応させて記録する記録手段と、この記録手段に記録された視聴制限情報と当該番組を特定する情報とを対応させて一覧表示する表示手段と、この表示手段により、記録手段に記録された視聴制限情報と当該番組を特定する情報とが対応して一覧表示されている画面上で、所定の視聴制限情報を選択する選択手段と、この選択手段で選択された視聴制限情報に基づいて、設定情報を自動設定する設定手段とを備えるようにしたものである。
【０００９】
また、この発明に係るテレビジョン放送受信装置の制御方法は、受信した番組情報に付加された視聴制限情報と、予め設定された設定情報とを比較して、当該受信番組の視聴制限を行なうようにテレビジョン放送受信装置を制御する方法を対象としている。そして、一定の時間が経過する毎に、選局された番組情報に付加された視聴制限情報を、当該番組を特定する情報と対応させて記録する記録工程と、この記録工程で記録された視聴制限情報と当該番組を特定する情報とを対応させて一覧表示する表示工程と、この表示工程により、記録工程で記録された視聴制限情報と当該番組を特定する情報とが対応して一覧表示されている画面上で、所定の視聴制限情報を選択する選択工程と、この選択工程で選択された視聴制限情報に基づいて、設定情報を自動設定する設定工程とを備えるようにしたものである。
【００１０】
上記のような構成及び方法によれば、一定の時間が経過する毎に、選局した番組を特定する情報と、その番組に付された視聴制限情報とを対応させて記録し一覧表示するようにしたので、実際の番組内容とレベルとの対応関系がユーザにわかり易くなるため、最適なレベルを容易に選定することが可能となる。また、一覧表示されている画面上で所定の視聴制限情報を選択することにより、その選択された視聴制限情報に基づいて、設定情報を自動設定するようにしたので、ユーザは、選定したレベルを容易に設定することが可能となり、ユーザにとっての取り扱いを便利にして実用化を効果的に促進することができる。
【００１１】
【発明の実施の形態】
以下、この発明の実施の形態について、図面を参照して詳細に説明する。図１は、この実施の形態で説明するテレビジョン放送受信機の概略を示している。まず、アンテナ１１で受信されたテレビジョン放送波は、チューナ部１２に供給されて所望のチャンネルのテレビジョン信号が選局される。
【００１２】
そして、このチューナ部１２で選局されたテレビジョン信号は、映像信号処理部１３及び表示処理部１４においてそれぞれ所定の信号処理が施された後、表示部１５に供給されて画像表示される。
【００１３】
また、上記チューナ部１２で選局されたテレビジョン信号は、ＶＢＩ（Ｖｅｒｔｉｃａｌ  Ｂｌａｎｋｉｎｇ  Ｉｎｔｅｒｖａｌ）抜取部１６に供給されて、その垂直ブランキング期間に多重されたデジタル情報が抜き取られる。
【００１４】
このＶＢＩ抜取部１６で抜き取られたデジタル情報は、マイクロコンピュータ部１７を構成するレイティング情報抜取部１８、タイトル情報抜取部１９及び時間情報抜取部２０にそれぞれ供給される。
【００１５】
このうち、レイティング情報抜取部１８は、入力されたデジタル情報からＶ−Ｃｈｉｐのレイティング情報を抜き取り、マイクロコンピュータ本体２１に出力している。
【００１６】
また、上記タイトル情報抜取部１９は、入力されたデジタル情報から番組のタイトル情報を抜き取りマイクロコンピュータ本体２１に出力している。さらに、上記時間情報抜取部２０は、入力されたデジタル情報から時間情報を抜き取りマイクロコンピュータ本体２１に出力している。
【００１７】
このマイクロコンピュータ本体２１は、キーＩ／Ｆ（Ｉｎｔｅｒ／Ｆａｃｅ）部２２を介して入力される操作部２３からの操作情報を受けて、上記チューナ部１２の選局動作を制御するとともに、表示制御部２４を介して表示処理部２５を制御している。
【００１８】
また、このマイクロコンピュータ本体２１は、上記レイティング情報抜取部１８、タイトル情報抜取部１９及び時間情報抜取部２０で抜き取られた各情報を、不揮発性のメモリ２５に記録させている。さらに、マイクロコンピュータ本体２１には、計時部２６が接続されて時刻の計測が行なえるようになっている。
【００１９】
上記のような構成となされたテレビジョン放送受信機において、図２に示すフローチャートを参照してその動作を説明する。まず、開始（ステップＳ１１）されると、マイクロコンピュータ本体２１は、ステップＳ１２で、操作部２３の電源スイッチが投入されたか否かを判別する。
【００２０】
そして、電源スイッチが投入されたと判断した場合（ＹＥＳ）、マイクロコンピュータ本体２１は、ステップＳ１３で、計時部２６をリセットし、ステップＳ１４で、計時部２６に時間の計測動作を開始させた後、ステップＳ１５で、１５分が経過したか否かを判別する。
【００２１】
ここで、１５分が経過していないと判断された場合（ＮＯ）、マイクロコンピュータ本体２１は、ステップＳ１３の処理に戻され、１５分が経過している判断された場合（ＹＥＳ）、ステップＳ１６で、レイティング情報抜取部１８で抜き取られたレイティング情報を検出し、ステップＳ１７で、タイトル情報抜取部１９で抜き取られた番組のタイトル情報を検出する。
【００２２】
その後、マイクロコンピュータ本体２１は、ステップＳ１８で、現在選局しているチャンネルの番号と、先に検出したレイティング情報と、先に検出した番組タイトル情報と、時間情報抜取部２０で抜き取られた時間情報とをメモリ２５に記録して、ステップＳ１２の処理に戻される。
【００２３】
すなわち、上記した動作が行なわれることによって、１５分毎に、そのときに選局しているチャンネルの番号と、そのチャンネルのテレビジョン信号に多重されたレイティング情報と番組タイトル情報と時間情報とが、メモリ２５に蓄積されていくことになる。
【００２４】
ここで、ユーザは、Ｖ−Ｃｈｉｐのレイティングを設定する場合、操作部２３を操作して、メモリ２５に蓄積された各種の情報を、図３（ａ）に示すように、表示部１５に一覧表示させる。この場合、この一覧表示画面には、ユーザが過去に視聴した番組の、時間とチャンネル番号とレイティングとタイトルとが、時間順に表示されている。
【００２５】
そして、ユーザは、この一覧表示画面を見て、自分が過去に選局した番組に付されているレイティングを参考にして、レイティングを選択する。例えば、ユーザが、“ＳＥＸ”の項目について、過去に視聴した“Ｌｏｖｅ  Ｓｔｏｒｙ”なる番組に匹敵するレベルの番組を子供に見せたくないと判断したとする。
【００２６】
すると、ユーザは、操作部２３を操作して、一覧表示されているレイティングの中から“Ｌｏｖｅ  Ｓｔｏｒｙ”のレイティングをカーソルＫで選択し、操作部２３のエンターキーを操作する。これにより、表示部１５の表示内容が、図３（ｂ）に示すようなレイティング設定画面に切り替わり、“ＳＥＸ”の項目について、そのレベルが“ＰＧ”に自動設定されたことが確認されるようになる。
【００２７】
上記した実施の形態によれば、ユーザが過去に選局（視聴）した番組のタイトル情報と、その番組に付されたレイティング情報とを対応させてメモリ２５に蓄積し一覧表示することができるようにしたので、実際の番組内容とレベルとの対応関係がユーザにわかり易くなるため、最適なレベルを容易に選定することが可能となる。
【００２８】
また、一覧表示されている番組タイトルの中から所望のタイトルをカーソルＫで選択し、操作部２３のエンターキーを操作することにより、そのレイティングに自動設定されるので、ユーザが過去に視聴した番組と同じレイティングに設定する場合には、設定操作が容易となる。
【００２９】
さらに、このようにして、ユーザが過去に視聴した番組と同じレイティングに設定した後、操作部２３の操作により、レベルを変更することも可能である。
【００３０】
また、上記した実施の形態では、１５分毎に、選局されている番組のタイトル情報と、その番組に付されたレイティング情報とを対応させてメモリ２５に蓄積するようにしたが、これらの情報をメモリ２５に記録するタイミングとしては、例えば、番組タイトルが変わったときやチャンネルが切り替えられたとき等でも良いことはもちろんである。
【００３１】
さらに、上記メモリ２５には、必ずしも番組のタイトル情報を記録する必要はなく、ユーザが後から番組の内容を思い出せるような、番組を特定することができる情報（例えば放送時間とチャンネル番号等）を記録しておけば良いものである。
【００３２】
なお、この発明は上記した実施の形態に限定されるものではなく、この外その要旨を逸脱しない範囲で種々変形して実施することができる。
【００３３】
【発明の効果】
以上詳述したようにこの発明によれば、Ｖ−Ｃｈｉｐの最適なレイティング設定を容易に行なうことができ、ユーザにとっての取り扱いを便利にして実用化を効果的に促進することを可能とした極めて良好なテレビジョン放送受信装置とその制御方法を提供することができる。
【図面の簡単な説明】
【図１】この発明の実施の形態を示すもので、テレビジョン放送受信機の概略を説明するために示すブロック構成図。
【図２】同実施の形態におけるレイティング情報及び番組タイトル情報等をメモリに記録する動作を説明するために示すフローチャート。
【図３】同実施の形態におけるレイティング情報及び番組タイトル情報等の一覧表示画面とレイティング設定画面とを説明するために示す図。
【符号の説明】
１１…アンテナ、
１２…チューナ部、
１３…映像信号処理部、
１４…表示処理部、
１５…表示部、
１６…ＶＢＩ抜取部、
１７…マイクロコンピュータ部、
１８…レイティング情報抜取部、
１９…タイトル情報抜取部、
２０…時間情報抜取部、
２１…マイクロコンピュータ本体、
２２…キーＩ／Ｆ部、
２３…操作部、
２４…表示制御部、
２５…メモリ、
２６…計時部。
【図１】
0003556639.tif 000002
【図２】
0003556639.tif 000003
【図３】
0003556639.tif 000004